【手続補正書】
【提出日】令和3年11月5日(2021.11.5)
【手続補正１】
【補正対象書類名】特許請求の範囲
【補正対象項目名】全文
【補正方法】変更
【補正の内容】
【特許請求の範囲】
【請求項１】
観察部位からの光のうち入射したＩＲ光をＩＲイメージセンサに受光させるＩＲプリズムと、
前記観察部位からの光のうち入射した可視光を可視イメージセンサに受光させる可視プリズムと、
前記観察部位からの光のうち入射した特定波長帯光を特定イメージセンサに受光させる特定プリズムと、
前記ＩＲイメージセンサ、前記可視イメージセンサおよび前記特定イメージセンサのそれぞれの撮像出力に基づいて、前記観察部位のＩＲ映像信号、可視映像信号、特定映像信号を生成し、前記ＩＲ映像信号、前記可視映像信号および前記特定映像信号を合成してモニタに出力する映像信号処理部と、を備える、
３板式カメラ。
【請求項２】
前記特定波長帯光は、前記可視光と同一の波長帯を有する第２可視光であり、
前記映像信号処理部は、前記可視映像信号と前記第２可視光に基づく第２可視映像信号を合成して広ダイナミックレンジ映像信号を生成し、前記広ダイナミックレンジ映像信号と前記ＩＲ映像信号とを合成する、
請求項１に記載の３板式カメラ。
【請求項３】
前記特定波長帯光は、前記可視光と同一の波長帯を有する第２可視光であり、
前記映像信号処理部は、前記可視映像信号と前記第２可視光に基づく第２可視映像信号を合成して高解像度映像信号を生成し、前記高解像度映像信号と前記ＩＲ映像信号とを合成する、
請求項１に記載の３板式カメラ。
【請求項４】
前記特定波長帯光は、前記ＩＲ光と異なる近赤外波長帯を有する第２ＩＲ光であり、
前記映像信号処理部は、前記ＩＲ映像信号と、前記可視映像信号と、前記第２ＩＲ光に基づく第２ＩＲ映像信号とを合成する、
請求項１に記載の３板式カメラ。
【請求項５】
前記特定波長帯光は、前記可視光より短い波長帯を有するＵＶ光であり、
前記映像信号処理部は、前記ＩＲ映像信号と、前記可視映像信号と、前記ＵＶ光に基づくＵＶ映像信号とを合成する、
請求項１に記載の３板式カメラ。
【請求項６】
観察部位からの光のうち入射した第１可視光を第１可視イメージセンサに受光させる第１可視プリズムと、
前記観察部位からの光のうち入射した第２可視光を第２可視イメージセンサに受光させる第２可視プリズムと、
前記観察部位からの光のうち入射した特定波長帯光を特定イメージセンサに受光させる特定プリズムと、
前記第１可視イメージセンサ、前記第２可視イメージセンサおよび前記特定イメージセンサのそれぞれの撮像出力に基づいて、前記観察部位の第１可視映像信号、第２可視映像信号、特定映像信号を生成し、前記第１可視映像信号と、前記第２可視映像信号と、前記特定映像信号とを合成してモニタに出力する映像信号処理部と、を備える、
３板式カメラ。
【請求項７】
前記特定波長帯光は、前記第１可視光および前記第２可視光と同一の波長帯を有する第３可視光であり、
前記映像信号処理部は、前記第１可視映像信号と、前記第２可視映像信号と、前記第３可視光に基づく第３可視映像信号とを合成して広ダイナミックレンジ映像信号を生成する、
請求項６に記載の３板式カメラ。
【請求項８】
前記第１可視プリズムおよび前記第２可視プリズムのそれぞれは、前記特定プリズムよりも前記観察部位側から遠くに配置される、
請求項６に記載の３板式カメラ。
【請求項９】
観察部位からの光のうち入射したＩＲ光をＩＲイメージセンサに受光させるＩＲプリズムと、
前記観察部位からの光のうち入射した可視光を可視イメージセンサに受光させる可視プリズムと、
前記観察部位からの光のうち入射した第１特定波長帯光を第１特定イメージセンサに受光させる第１特定プリズムと、
前記観察部位からの光のうち入射した第２特定波長帯光を第２特定イメージセンサに受光させる第２特定プリズムと、
前記ＩＲイメージセンサ、前記可視イメージセンサ、前記第１特定イメージセンサおよび前記第２特定イメージセンサのそれぞれの撮像出力に基づいて、前記観察部位のＩＲ映像信号、可視映像信号、第１特定映像信号、第２特定映像信号を生成し、前記ＩＲ映像信号と、前記可視映像信号と、前記第１特定映像信号と、前記第２特定映像信号とを合成してモニタに出力する映像信号処理部と、を備える、
４板式カメラ。
【請求項１０】
前記第１特定波長帯光は、前記ＩＲ光と異なる近赤外波長帯を有する第２ＩＲ光であり、
前記第２特定波長帯光は、前記可視光より短い波長帯を有するＵＶ光であり、
前記映像信号処理部は、前記ＩＲ映像信号と、前記可視映像信号と、前記第２ＩＲ光に基づく第２ＩＲ映像信号と、前記ＵＶ光に基づくＵＶ映像信号とを合成する、
請求項９に記載の４板式カメラ。
【請求項１１】
前記第１特定波長帯光は、前記可視光と同一の波長帯を有する第２可視光であり、
前記第２特定波長帯光は、前記可視光より短い波長帯を有するＵＶ光であり、
前記映像信号処理部は、前記可視映像信号と前記第２可視光に基づく第２可視映像信号とを合成して広ダイナミックレンジ映像信号を生成し、前記広ダイナミックレンジ映像信号と、前記ＩＲ映像信号と、前記ＵＶ光に基づくＵＶ映像信号とを合成する、
請求項９に記載の４板式カメラ。
【請求項１２】
前記第１特定波長帯光は、前記可視光と同一の波長帯を有する第２可視光であり、
前記第２特定波長帯光は、前記ＩＲ光と異なる近赤外波長帯を有する第２ＩＲ光であり、
前記映像信号処理部は、前記可視映像信号と前記第２可視光に基づく第２可視映像信号とを合成して広ダイナミックレンジ映像信号を生成し、前記広ダイナミックレンジ映像信号と、前記ＩＲ映像信号と、前記第２ＩＲ光に基づく第２ＩＲ映像信号とを合成する、
請求項９に記載の４板式カメラ。
【請求項１３】
観察部位からの光のうち入射した第１可視光を第１可視イメージセンサに受光させる第１可視プリズムと、
前記観察部位からの光のうち入射した第２可視光を第２可視イメージセンサに受光させる第２可視プリズムと、
前記観察部位からの光のうち入射した第１特定波長帯光を第１特定イメージセンサに受光させる第１特定プリズムと、
前記観察部位からの光のうち入射した第２特定波長帯光を第２特定イメージセンサに受光させる第２特定プリズムと、
前記第１可視イメージセンサ、前記第２可視イメージセンサ、前記第１特定イメージセンサおよび前記第２特定イメージセンサのそれぞれの撮像出力に基づいて、前記観察部位の第１可視映像信号、第２可視映像信号、第１特定映像信号、第２特定映像信号を生成し、前記第１可視映像信号と、前記第２可視映像信号と、前記第１特定映像信号と、前記第２特定映像信号とを合成してモニタに出力する映像信号処理部と、を備える、
４板式カメラ。
【請求項１４】
前記第１特定波長帯光は、前記第１可視光と同一の波長帯を有する第３可視光であり、
前記第２特定波長帯光は、前記第１可視光より長い波長帯を有するＩＲ光であり、
前記映像信号処理部は、前記第１可視映像信号と前記第２可視映像信号と前記第３可視光に基づく第３可視映像信号とを合成して広ダイナミックレンジ映像信号を生成し、前記広ダイナミックレンジ映像信号と、前記ＩＲ光に基づくＩＲ映像信号とを合成する、
請求項１３に記載の４板式カメラ。
【請求項１５】
前記第１可視プリズムおよび前記第２可視プリズムのそれぞれは、前記第１特定プリズムおよび前記第２特定プリズムよりも前記観察部位側から遠くに配置される、
請求項１３に記載の４板式カメラ。
【請求項１６】
観察部位からの光のうち入射した第１可視光を第１可視イメージセンサに受光させる第１可視プリズムと、
前記観察部位からの光のうち入射した第２可視光を第２可視イメージセンサに受光させる第２可視プリズムと、
前記第１可視イメージセンサおよび前記第２可視イメージセンサのそれぞれの撮像出力に基づいて、前記観察部位の第１可視映像信号および第２可視映像信号を生成し、前記第１可視映像信号および前記第２可視映像信号を合成してモニタに出力する映像信号処理部と、を備える、
カメラ。